(57)【要約】【課題】容器本体と蓋体とに跨って結合する蝶番軸を構造的に補強することを技術的課題とし、もって、局部的な剪断力による蝶番軸の破壊を防止して、容器の耐久性および安全性を高めることを目的とする。【解決手段】容器本体２の後端部に設けた蝶番片３と、蓋体５の後端部に設けた蝶番片６とに、合成樹脂製の蝶番軸を挿通し、容器本体２と蓋体５とを開閉回動自在に結合する容器１の蝶番構造であって、蝶番軸８を、小径円柱部８ｂと拡径段部８ｃを介して連設した大径円柱部８ａとから構成し、蝶番軸８を挿入する側の蝶番片３に、大径円柱部８ａを挿通可能な大径軸孔４を穿設し、該大径軸孔４と対峙する蝶番片６に、大径軸孔４と同径の嵌入孔部７ａと縮径段部７ｃを介して連設した小径円柱部８ｂを抜け出し不能に嵌着する嵌着孔部７ｂとを有する軸孔７を穿設し、蝶番片３と蝶番片６を蝶番軸８で連結した。【選択図】　　　　　　　図１
2004033287.tif 000002
【特許請求の範囲】
【請求項１】
収納部（１１）を有する容器本体（２）の後端部に設けた蝶番片（３）と、蓋体（５）の後端部に設けた蝶番片（６）とに、合成樹脂製の蝶番軸を挿通し、前記容器本体（２）と蓋体（５）とを開閉回動自在に結合する容器（１）の蝶番構造であって、蝶番軸（８）を、小径円柱部（８ｂ）と、該小径円柱部（８ｂ）から拡径段部（８ｃ）を介して連設した大径円柱部（８ａ）とから構成し、前記蝶番軸（８）を挿入する側の蝶番片に、前記大径円柱部（８ａ）を挿通可能な大径軸孔（４）を穿設し、該大径軸孔（４）と対峙する蝶番片に、前記大径軸孔（４）と同径の嵌入孔部（７ａ）と、該嵌入孔部（７ａ）から縮径段部（７ｃ）を介して、前記小径円柱部（８ｂ）を抜け出し不能に嵌着する嵌着孔部（７ｂ）とを有する軸孔（７）を穿設した容器の蝶番構造。
【発明の詳細な説明】
【０００１】
【発明の属する技術分野】
本発明は、容器本体と蓋体とを開閉回動自在に結合した容器の蝶番構造に関し、特に、容器本体と蓋体とに跨って結合する蝶番軸を構造的に補強し、局部的に加わる剪断力に対する蝶番軸の破壊を防止した容器の蝶番構造に関する。
【０００２】
【従来の技術】
化粧用コンパクト容器として、容器本体の後端部に設けた軸孔を穿設した蝶番片と、同様に蓋体の後端部に設けた軸孔を穿設した蝶番片とを組合せ、各軸孔に蝶番軸を挿通し、容器本体に対して蓋体を開閉回動自在に結合したものが知られている。
【０００３】
化粧料コンパクト容器は、容器本体に対する蓋体の回動限において、容器本体若しくは蓋体に何らかの外力が加わると、外力が加わった部分が力点となり、容器本体の後端に蓋体が突き当たった部分を支点として、蝶番軸が力点に対する作用点となって、容器本体の蝶番片に穿設された軸孔と蓋体の蝶番片に穿設された軸孔とに跨った蝶番軸の部分に集中的に大きな剪断力が働く。このため、従来においては、容器本体及び蓋体を結合する蝶番軸として、機械的強度の大きい、金属製のものを用いていた。
【０００４】
一方、近年においては、容器本体と蓋体と蝶番軸とを同一素材として分別回収する煩雑さを回避すること、容器を軽量化できること、製造コストが安価であることと等の利点を考慮して、金属製から合成樹脂製の蝶番軸への材料代替が求められている。
【０００５】
【発明が解決しようとする課題】
しかしながら、合成樹脂製の蝶番軸は、機械的強度が低いため、単に金属性の蝶番軸を置き換えただけでは、実用的な強度が不足するという問題があり、蝶番構造全体での高強度化への対応が課題となっている。
【０００６】
そこで、本発明は、上記した従来技術における問題点を解消すべく創案されたもので、容器本体と蓋体とに跨って結合する蝶番軸を構造的に補強することを技術的課題とし、もって、局部的な剪断力による蝶番軸の破壊を防止して、容器の耐久性および安全性を高めることを目的とする。
【０００７】
【課題を解決するための手段】
上記課題を解決するために、
請求項１記載の発明の手段は、収納部を有する容器本体の後端部に設けた蝶番片と、蓋体の後端部に設けた蝶番片とに、合成樹脂製の蝶番軸を挿通し、容器本体と蓋体とを開閉回動自在に結合する容器の蝶番構造であること、
蝶番軸を、小径円柱部と、該小径円柱部から拡径段部を介して連設した大径円柱部とから構成したこと、
蝶番軸を挿入する側の蝶番片に、蝶番軸の大径円柱部を挿通可能な大径軸孔を穿設したこと、
該大径軸孔と対峙する蝶番片に、大径軸孔と同径の嵌入孔部と、該嵌入孔部から縮径段部を介して、蝶番軸の小径円柱部を抜け出し不能に嵌着する嵌着孔部とを有する軸孔を穿設したこと、にある。
【０００８】
請求項１記載の発明にあっては、蝶番軸が、容器本体若しくは蓋体の蝶番片に穿設した大径軸孔を挿通し、該大径軸孔に対峙する蝶番片に穿設した軸孔の嵌着孔部に蝶番軸の小径円柱部を抜け出し不能に嵌着して、容器本体の蝶番片と蓋体の蝶番片とを連結する。
【０００９】
すなわち、蝶番軸の大径円柱部が、一方の蝶番片の大径軸孔と、他方の蝶番片の嵌入孔部とに跨って連結することとなり、最も大きな剪断力が局部的に加わる蝶番軸の部分を太くして構造的に補強し、てこ作用による剪断力が蝶番軸に働いた場合であっても、蝶番軸の破壊を防止する。
【００１０】
【発明の実施の形態】
以下、本発明の一実施例を、図面を参照にしながら説明する。
図１は、化粧用コンパクト容器１の開放状態を示す分解斜視図、図２は、容器１の横断面図である。
【００１１】
容器１は、容器本体２と、蓋体５と、一対の蝶番軸８とから構成されている。一般的に、容器本体２及び蓋体５は、成形材料としてポリプロピレン、ＡＳ、ＡＢＳ等を用い、蝶番軸８は、成形材料としてナイロン等を用いている。
【００１２】
化粧料を収納する収納部１１を設けた角皿体状の容器本体２は、後端両側部に後方に突出する一対の蝶番片３を設け、前端中央部に係止凹部９を設けている。
【００１３】
鏡体１２を貼着した蓋体５は、後端中央部に一つの蝶番片７を垂下設し、前端中央部に係止凹部９に係止する係止凸部１０を垂下設している。容器本体２と蓋体５との閉塞は、係止凹部９と係止凸部１０との係止により保持される。
【００１４】
蝶番軸８は、小径円柱部８ｂと、該小径円柱部８ｂから拡径段部８ｃを介した大径円柱部８ａとから成っている。
【００１５】
容器本体２と蓋体５とを組付けた際に、蝶番軸８を挿通する側となる蝶番片３には、大径円柱部８ａが挿通可能な大径軸孔４を穿設している。一方、該大径軸孔４を穿設した蝶番片３と対峙する蝶番片７には、大径軸孔４と同径の嵌入孔部７ａおよび該嵌入孔部７ａから縮径段部７ｃを介して小径円柱部８ｂを抜け出し不能に嵌着する嵌着孔部７ｂとからなる軸孔７を穿設している。
【００１６】
蝶番軸８を、蝶番片３の大径軸孔４に挿入すると、小径円柱部８ｂが、蝶番片６の軸孔７の嵌着孔部７ｂに抜け出し不能に嵌着し、大径円柱部８ａが、嵌入孔部７ａと大径軸孔４とに跨って、容器本体２と蓋体５とを連結する。蝶番軸８と大径軸孔４および嵌入孔部７ａとは、適度な抵抗感を有して、容器本体２に対して蓋体５が相対回動するように、適度な摺動抵抗を設定している。
【００１７】
図３は、容器本体２の後端部に蝶番片７が突き当たった開放回動限の状態を示す、図２の縦断面Ｘ−Ｘ矢視図である。
【００１８】
図３に示すように、蝶番片７が容器本体２の後端部に突き当たる開放回動限において、容器本体２若しくは蓋体５に何らかの力（図３中矢印Ｆ）が加わった場合に、力が加わった部分が力点となり、容器本体２の後端部に蝶番片７が突き当たった点（図３中Ａ点）が支点となって、容器本体２と蓋体５とを結合している蝶番軸８が作用点となって、蝶番軸８にてこ作用の力が働く（図中矢印Ｂ）。
【００１９】
容器本体２の後端部に蝶番片７が突き当たった点を支点とするてこ作用による力は、特に、蝶番片３と蝶番片６とに跨って連結している蝶番軸８の部分に局部的に大きな剪断力として働くが、蝶番軸８は、蝶番片３と蝶番片６とに跨っている部分を大径円柱部８ａとして太くし、構造的に補強しているため、蝶番軸８が破壊しない。
【００２０】
図４は、本発明の他の実施例を示す、容器１の分解斜視図である。容器本体２は、後端中央部に後方に突出する一つの蝶番片３を設けている。一方、蓋体５は、後端両側端部に一対の蝶番片６を設けている。蝶番軸８を挿入する側となる蝶番片３には、大径軸孔４を穿設し、該大径軸孔４と対峙する蝶番片３には、嵌入孔部７ａおよび該嵌入孔部７ａから縮径段部７ｃを介して小径円柱部８ｂを抜け出し不能に嵌着する嵌着孔部７ｂとからなる軸孔７を穿設している。
【００２１】
そして、蓋体５の一対の蝶番片６に穿設した大径軸孔４から、蝶番軸８を挿入し、蝶番片３の嵌入孔部７ａを挿通して、蝶番軸８の小径円柱部８ｂを嵌着孔部７ｂに抜け出し不能に嵌着し、容器本体２と蓋体５とを連結する。このように、容器本体２の蝶番片３と蓋体５の蝶番片６との組合わせにより、蝶番軸８を挿入する側となる蝶番片に大径軸孔４を形成し、該大径軸孔４に対峙する蝶番片に、嵌入孔部７ａおよび嵌着孔部７ｂを有する軸孔を設ければよい。
【００２２】
なお、容器本体２の蝶番片３若しくは蓋体５の蝶番片６に大径軸孔４を形成した場合であっても、容器本体２若しくは蓋体５の強度が低下しないように、大径軸孔４と蝶番片３若しくは蝶番片６の後端部との間に適度な厚みを持たせている。
【００２３】
【発明の効果】
本発明は、上記した構成となっているので、以下に示す効果を奏する。
本発明は、開放回動限において、容器本体若しくは蓋体に何らかの力が加わり、蓋体の蝶番片が容器本体の後端部に突き当たった部分が支点となり、蝶番軸がてこ作用による作用点となって、容器本体の蝶番片と蓋体の蝶番片に跨った蝶番軸の部分に局部的に大きな剪断力が働いた場合であっても、蝶番片と蝶番片とに跨って連結する蝶番軸の部分を大径円柱部として太くして、蝶番軸を構造的に補強したため、蝶番軸の破壊を防止することができ、容器の耐久性と安全性を向上することができる。
【図面の簡単な説明】
【図１】本発明の一実施例を示す、容器の分解斜視図。
【図２】図１の容器の蝶番構造部分の横断面図。
【図３】開放回動限における図２に示す容器の縦断面Ｘ−Ｘ矢視図。
【図４】本発明の他の実施例を示す、容器の分解斜視図。
【符号の説明】
１　　；　容器
２　　；　容器本体
３　　；　蝶番片
４　　；　大径軸孔
５　　；　蓋体
６　　；　蝶番片
７　　；　軸孔
７ａ　；　嵌入孔部
７ｂ　；　嵌着孔部
７ｃ　；　縮径段部
８　　；　蝶番軸
８ａ　；　大径円柱部
８ｂ　；　小径円柱部
８ｃ　；　拡径段部
９　　；　係止凹部
１０　；　係止凸部
１１　；　収納部
１２　；　鏡体
【図１】
2004033287.tif 000003
【図２】
2004033287.tif 000004
【図３】
2004033287.tif 000005
【図４】
2004033287.tif 000006